(57)【要約】【課題】電源投入時または電源遮断時等の電源電圧が不安定な状態において確実に半導体レーザーが消灯するように半導体レーザー駆動回路を駆動させることによって、確実に半導体レーザーの保護することが可能な半導体レーザー保護回路を提供する。【解決手段】電源電圧監視回路１０５は、半導体レーザー保護回路１に供給される電源電圧が所定の電圧より低い場合には、半導体レーザー１０１を消灯する旨の消灯命令を出力し、電源電圧が所定の電圧以上である場合には半導体レーザー１０１を駆動する旨の消灯解除命令を出力する。そして、タイマー回路１０６においては、電源電圧監視回路１０５により消灯解除命令が出力された後、所定時間の経過後に、半導体レーザー１０１を駆動するための半導体レーザー駆動回路１０２を動作させるよう制御する。【選択図】  図１
2011243697.tif 000002
【特許請求の範囲】
【請求項１】
半導体レーザーを保護するための半導体レーザー保護回路であって、
自身に供給される電源電圧が所定の電圧より低い場合には前記半導体レーザーを消灯する旨の消灯命令を出力し、前記電源電圧が前記所定の電圧以上である場合には前記半導体レーザーを駆動する旨の命令である消灯解除命令を出力する電源電圧監視手段と、
前記電源電圧監視手段により前記消灯解除命令が出力された後、所定時間の経過後に、前記半導体レーザーを駆動するための半導体レーザー駆動回路を動作させるタイマー回路と、
を有する半導体レーザー保護回路。
【請求項２】
前記タイマー回路は、前記電源電圧監視手段により前記消灯命令が出力された場合には、前記消灯命令の出力に応じて前記半導体レーザーを駆動しないように前記半導体レーザー駆動回路を制御することを特徴とする請求項１に記載の半導体レーザー保護回路。
【請求項３】
前記タイマー回路は、非同期リセット又は非同期セットに前記消灯命令が入力される記憶素子を有し、
前記タイマー回路は、前記電源電圧監視手段により前記消灯命令が出力された場合には、前記記憶素子の非同期リセット又は非同期セットを有効にすることで前記消灯命令の出力に応じて前記半導体レーザーを駆動しないように前記半導体レーザー駆動回路を制御し、前記電源電圧監視手段により前記消灯解除命令が出力された場合には、前記記憶素子の非同期リセット又は非同期セットを解除して、前記所定時間の経過後に前記半導体レーザー駆動回路を動作させることを特徴とする請求項２に記載の半導体レーザー保護回路。
【発明の詳細な説明】
【技術分野】
【０００１】
本発明は、半導体レーザーの駆動回路に関するものであり、特に、電源投入時または電源遮断時等の電源電圧が不安定な状態の時に半導体レーザーを異常発光電流から保護することが可能な半導体レーザー保護回路に関する。
【背景技術】
【０００２】
従来、例えば特許文献１、特許文献２、特許文献３に記載されているような半導体レーザーを駆動するための駆動回路が存在する。
図７は、特許文献１に記載の半導体レーザー駆動回路の構成を示す図である。図７に示す回路は、レーザーダイオード７１と、レーザーダイオード７１の光量を検出する光量検出用ダイオード７２と、制御トランジスター７３と、レーザーダイオード７１を駆動するための駆動トランジスター７４と、レーザー出力制御回路７５とを備える。この回路では、光量検出用ダイオード７２より得られる検出信号がレーザー出力制御回路７５に入力されなくなると、制御トランジスター７３が導通状態になることによってレーザーダイオード７１を駆動する駆動トランジスター７４のバイアスが非導通方向へ変化する。これにより、異常発光電流が出力されることを防止し、半導体レーザー（レーザーダイオード７１）の破壊を防止する。
【０００３】
また、図８は、特許文献２に記載の半導体レーザー駆動回路の構成を示す図である。また、図９は、特許文献３に記載の半導体レーザー駆動回路の構成を示す図である。
図８および図９に示す回路は、３種類の電源、すなわち、半導体レーザー駆動回路ブロックの電源（図８の電源Vcc2、図９の電源９１０）と、制御ブロックの電源（図８の電源Vcc1、図９の電源９２０）と、光学ピックアップ、すなわち光量検出用ダイオード（図８のピンダイオード８２、図９の受光素子９２）の電源（図８の電源Vcc2、図９の電源９３０）とを備える。そして、夫々の電源が投入され安定状態に入るまで半導体レーザー駆動回路ブロックの半導体レーザー駆動用トランジスターの閾値、制御ブロックの論理回路の論理閾値、および光量検出用ダイオードの閾値等を利用して異常発光電流が出力されることを防止し、半導体レーザー（図８の半導体レーザー８１、図９の半導体レーザー９１）の破壊を防止するものである。
【先行技術文献】
【特許文献】
【０００４】
【特許文献１】特開平８−３３０６５６号公報
【特許文献２】特開昭６１−２８９５４３号公報
【特許文献３】特開２００５−２６８３３８号公報
【発明の概要】
【発明が解決しようとする課題】
【０００５】
しかしながら、特許文献１、特許文献２、および特許文献３に記載の半導体レーザーの駆動回路には次のような問題がある。特許文献１、特許文献２、および特許文献３の半導体レーザー駆動回路では、図７〜図９に示すように半導体レーザーの他に、光量検出用ダイオードまたは光学ピックアップを備えることにより、半導体レーザーの発光量を一定のレベルに制御する回路、すなわちサーボ回路を利用している。
【０００６】
しかし、サーボ回路は、半導体レーザー駆動回路によって駆動される発光電流量の異常等に起因する半導体レーザーの異常発光を光量検出用ダイオードが検出してから、半導体レーザー駆動回路の発光電流を抑制して半導体レーザーを消灯の状態にするまでに遅延が発生する。そして、この遅延の間も半導体レーザーは異常発光を続けていることになり、半導体レーザーが破壊される可能性がある。
また、サーボ回路では、光量検出用ダイオードまたは光学ピックアップにより半導体レーザー駆動回路が駆動する発光電流量、つまり半導体レーザーの発光量を監視するために、光量検出用ダイオードまたは光学ピックアップが必要不可欠である。
【０００７】
また、特許文献２および特許文献３に記載の半導体レーザー駆動回路では、トランジスターやダイオード等の閾値を利用している。しかし、トランジスターやダイオード等の閾値には個体差があり、個体によって閾値が変動するため、全個体において完全に異常発光を防止することは困難である。
そこで、本発明は、電源投入時または電源遮断時等の電源電圧が不安定な状態において確実に半導体レーザーが消灯するように半導体レーザー駆動回路を駆動させることによって、確実に半導体レーザーの保護を行い、また、光量検出用ダイオードまたは光学ピックアップを省略することで回路の簡素化を図ることができる半導体レーザー保護回路を提供することを目的とする。
【課題を解決するための手段】
【０００８】
上記課題を解決するために、本発明は、半導体レーザーを保護するための半導体レーザー保護回路であって、自身に供給される電源電圧が所定の電圧より低い場合には前記半導体レーザーを消灯する旨の消灯命令を出力し、前記電源電圧が前記所定の電圧以上である場合には前記半導体レーザーを駆動する旨の命令である消灯解除命令を出力する電源電圧監視手段と、前記電源電圧監視手段により前記消灯解除命令が出力された後、所定時間の経過後に、前記半導体レーザーを駆動するための半導体レーザー駆動回路を動作させるタイマー回路と、を有する半導体レーザー保護回路を提案する。
【０００９】
この構成によれば、本発明の半導体レーザー保護回路は、サーボ回路を利用しないため、電源電圧が不安定な状態においては確実に半導体レーザーが消灯状態となり、確実に半導体レーザーを異常発光から保護することができる。また、光量検出用ダイオードや光ピックアップを利用しないため、回路を簡素化することができるとともに、ダイオードの性能の個体差の問題等は生じえない。
また、前記タイマー回路は、前記電源電圧監視手段により前記消灯命令が出力された場合には、前記消灯命令の出力に応じて前記半導体レーザーを駆動しないように前記半導体レーザー駆動回路を制御ようになっていてもよい。
【００１０】
また、前記タイマー回路は、非同期リセット又は非同期セットに前記消灯命令が入力される記憶素子を有し、前記タイマー回路は、前記電源電圧監視手段により前記消灯命令が出力された場合には、前記記憶素子の非同期リセット又は非同期セットを有効にすることで前記消灯命令の出力に応じて前記半導体レーザーを駆動しないように前記半導体レーザー駆動回路を制御し、前記電源電圧監視手段により前記消灯解除命令が出力された場合には、前記記憶素子の非同期リセット又は非同期セットを解除して、前記所定時間の経過後に前記半導体レーザー駆動回路を動作させるようになっていてもよい。
【発明の効果】
【００１１】
本発明によれば、サーボ回路を利用しないため、電源電圧が不安定な状態においては確実に半導体レーザーが消灯状態となり、確実に半導体レーザーを異常発光から保護することができる。また、光量検出用ダイオードや光ピックアップを利用しないため、回路を簡素化することができるとともに、ダイオードの性能の個体差の問題等は生じえない。
【図面の簡単な説明】
【００１２】
【図１】本実施形態に係る半導体レーザー保護回路の構成を示す図である。
【図２】電源電圧監視回路１０５の構成例を示す図である。
【図３】本実施形態の半導体レーザー保護回路のタイミングチャートである。
【図４】タイマー回路１０６の構成例を示す図である。
【図５】タイマー回路１０６のタイミングチャートである。
【図６】タイマー回路１０６の別の構成例を示す図である。
【図７】特許文献１の半導体レーザー駆動回路の構成を示す図である。
【図８】特許文献２の半導体レーザー駆動回路の構成を示す図である。
【図９】特許文献３の半導体レーザー駆動回路の構成を示す図である。
【発明を実施するための形態】
【００１３】
以下、本発明の実施形態について、図面を参照して説明する。
（半導体レーザー保護回路の構成）
最初に、図１および図２を用いて、本実施形態に係る半導体レーザー保護回路の構成について説明する。
図１は、本実施形態に係る半導体レーザー保護回路の構成を示す図である。図１に示す半導体レーザー保護回路１は、半導体レーザー１０１、半導体レーザー駆動回路１０２、駆動値制御手段１０３、基準電圧発生手段１０４、電源電圧監視回路１０５、タイマー回路１０６により構成されている。
また、図２は、電源電圧監視回路１０５の構成例を示す図である。電源電圧監視回路１０５は、電源電圧Vddを分圧する抵抗２０２と抵抗２０３、およびコンパレータ２０１を備えている。なお、図２に示す電源電圧監視回路１０５の構成はあくまで一例であり、この構成に限定されるものではない。
【００１４】
半導体レーザー保護回路１への電源投入直後または電源遮断時等のように電源電圧が不安定な状態においては、半導体レーザー保護回路１は、以下のように動作する。すなわち、コンパレータ２０１は、基準電圧発生手段１０４が発生する基準電圧V1と、電源電圧が分圧された電圧V6とを比較する。電源電圧監視回路１０５は、電源電圧が分圧された電圧V6が基準電圧V1より低い場合には電源電圧が異常であると判断して、半導体レーザー１０１を消灯する旨の命令である消灯命令（後述するように、電圧V2が“high”の時）を出力する。また、タイマー回路１０６は、電源電圧監視回路１０５から出力された消灯命令を受け取り、半導体レーザー駆動回路１０２は、速やかに半導体レーザー１０１を消灯状態にする（電圧V3）。これにより、半導体レーザー１０１は異常発光電流から保護される。なお、タイマー回路１０６の構成については後に詳述する。
【００１５】
また、電源投入後の電源電圧上昇により安定な状態を検出した場合には、電源電圧監視回路１０５は電源電圧が正常であると判断して半導体レーザー１０１の消灯状態を解除する旨（すなわち、半導体レーザー１０１を駆動する旨）の命令である消灯解除命令（後述するように、電圧V2が“low”の時）を出力し、タイマー回路１０６はこの消灯解除命令を受け取る。そして、タイマー回路１０６の制御する所定の時間の後に、半導体レーザー駆動回路１０２は、半導体レーザー１０１を発光可能な状態とするために、駆動値制御手段１０３によって出力される制御値の電流量（電圧V4）を発光電流I1（電圧V5）として半導体レーザー１０１に出力する。つまり、半導体レーザー駆動回路１０２は、電源電圧安定後からタイマー回路１０６の制御する所定時間経過後に半導体レーザー１０１に発光を開始させる。これにより、半導体レーザー１０１は異常発光電流から確実に保護される。
【００１６】
（半導体レーザー保護回路の動作）
次に、図３を用いて、本実施形態に係る半導体レーザー保護回路の動作について説明する。図３は、図１に示した半導体レーザー保護回路１の動作例を示すタイミングチャートである。
なお、以下の説明においては、論理極性で各電圧値が論理閾値より高い電圧である場合を“hi”、低い電圧である場合を“low”と表現する。また、図３において、電源電圧監視回路１０５からの出力電圧V2が“hi”である時は、すなわち電源電圧監視回路１０５が消灯命令を出力している状態であり、出力電圧V2が“low”である時は、すなわち電源電圧監視回路１０５が消灯解除命令を出力している状態である。
【００１７】
また、タイマー回路１０６は、電源電圧監視回路１０５が発生する消灯命令を受け取った場合、すなわち、電圧V2が“hi”の場合には、電圧V3に“low”を出力し、電源電圧監視回路１０５から消灯解除命令を受け取った場合、すなわち、電圧V2が“low”の場合には、所定時間（時間Ｔ）の経過後に電圧V3に“hi”を出力する。
また、半導体レーザー駆動回路１０２は、タイマー回路１０６からの出力電圧V3が“low”である場合には、出力する発光電流I1を停止して半導体レーザー１０１を消灯し、タイマー回路１０６からの出力電圧V3が“hi”である場合には、駆動値制御手段１０３からの出力電圧V4により任意の発光電流を半導体レーザー１０１に出力する様に構成されている。なお、本例は一例であり、本発明の半導体レーザー保護回路は、電圧V2および電圧V3の論理極性に制限されるものではない。
【００１８】
図３において、時間Ａで半導体レーザー保護回路１に電源が投入されたとすると、電源電圧Vddは、時間Ｄまでゆっくりと上昇していく。そして、基準電圧V1は、電源電圧Vddの上昇に合わせて徐々に上昇していき、時間Ｂで電源電圧Vddが最終的な基準電圧Vcomより高い電圧となったところで電圧Vcomに安定する。
基準電圧発生手段１０４は任意の基準電圧Vcomを発生する回路であり、上述したように、電圧V1は、時間Ｂで電源電圧Vddが基準電圧Vcomより高い電圧となったところで電圧Vcomに安定する。一方、電圧V6は電源電圧Vddが分圧された電圧であり、電源電圧Vd dの上昇と共に時間Ａから時間Ｄまでかけて上昇していく。つまり、図３に示すように、電圧V1の安定する時間は、電圧V6より早い。
【００１９】
また、電源電圧Vddが分圧された電圧V6は、時間Ａから、電源電圧Vddが安定する時間Ｄまで、電圧V1と共に徐々に上昇していき、時間Ａから時間Ｃの間ではV1＞V6である。電源電圧監視回路１０５は、この時間Ａから時間Ｃの間のV1＞V6の状態を検出して、消灯命令を出力、すなわち、出力電圧V2を“hi”にする。
また、時間Ａから時間Ｃでは、電圧V2は電源電圧Vddの上昇と共に上昇していく。例えば、論理閾値を０．５×Vddとした場合、論理閾値は図３の波線で示す様に推移していき、時間Ａから時間Ｃにおいては、電圧V2は論理閾値を超えており、論理的には“hi”と認識される。
【００２０】
電源投入時Ａにおいて電圧V2が“hi”になると、タイマー回路１０６は、電圧V3を“low”にすることで、半導体レーザー駆動回路１０２を、速やかに半導体レーザー１０１を消灯するように動作する状態（以下、適宜「消灯状態」という）にする。
より具体的には、タイマー回路１０６は、電源投入時間Ａにおいて消灯命令として電圧V2が“hi”になるに伴い電圧V3を“low”にすることで、半導体レーザー駆動回路１０２を消灯状態にする。そして、その後、電源が安定する時間Ｃ（つまり、V1≦V6となる時間）に電源電圧監視回路１０５からの消灯解除命令として出力電圧V2が“low”となった後も、時間Ｔが経過するまでの間、電圧V3を“low”に維持して半導体レーザー駆動回路１０２の消灯状態を継続する。
【００２１】
つまり、半導体レーザー駆動回路１０２が電流出力するための任意の制御値である駆動値制御手段１０３からの出力電圧V4が時間Ｅにおいて安定状態になったとしても、電圧V3が“low”である間は、半導体レーザー駆動回路１０２は消灯状態である。
よって、電源投入後、半導体レーザー駆動回路１０２、駆動値制御手段１０３、基準電圧発生手段１０４などの回路が電気的に不安定であったとしても、電源投入時である時間Ａから時間Ｆまでは半導体レーザー１０１には電流が流れないので、半導体レーザー１０１は確実に異常発光電流から保護される。
【００２２】
なお、電源投入時（電源電圧上昇時）においては、電源電圧Vddが不安定であるために電源電圧Vddから分圧された電圧V6が論理閾値を跨いで上下する場合が考えられる。よって、電源電圧上昇時においては、電圧V6が論理閾値以上となって（すなわち、電源電圧が所定の電圧以上となって）電源電圧監視回路１０５から消灯解除命令が出力されることにより、タイマー回路１０６が一旦、時間Ｔをカウントし始めた場合には、その後、時間Ｔ内において電圧V6が論理閾値未満となっても（すなわち、電源電圧が所定の電圧未満となっても）、電源電圧監視回路１０５から消灯命令は出力されないようになっていてもよい。または、電圧V6が論理閾値以上となって電源電圧監視回路１０５から消灯解除命令が出力されることにより、タイマー回路１０６が一旦、時間Ｔをカウントし始めた後、時間Ｔ内において電圧V6が論理閾値未満となった場合には、電源電圧Vddが不安定であると判断し、電源電圧監視回路１０５から消灯命令が出力されるようになっていてもよい。
【００２３】
一方、電源遮断時では、電源が時間Ｇで遮断された場合、電源電圧Vddは時間Ｇから時間Ｊまでゆっくりと下降していく。基準電圧V1は、時間Ｉにおいて電源電圧Vddが最終的に基準電圧Vcomより低い電圧となったところで、電源電圧Vddと同時に下降を始める。
このように、基準電圧発生手段１０４からの出力電圧V1は、時間Ｉで電源電圧Vddが最終的な基準電圧Vcomより低い電圧となったところで電源電圧Vddと共に低下していく。一方、電源電圧Vddが分圧された電圧V6は、電源電圧Vddの低下と共に時間Ｇから時間Ｊまで掛かって０Vに低下していく。つまり、電圧V6は、時間Ｇから、電源電圧Vddが０Vに達する時間Ｊまで電源電圧Vddと共にゆっくりと下降していき、時間Ｈから時間Ｊの間でV1＞V6である。
【００２４】
また、電源電圧監視回路１０５は、時間Ｈから時間Jの間におけるV1＞V6を検出して消灯命令を出力、すなわち電圧V2を“hi”にする。
ここで、時間Ｈから時間Ｊでは、電圧V2は電源電圧Vddの下降と共に低下していく。例えば、論理閾値を０．５×Vddとした場合、論理閾値は電圧V2に図３の波線で示す様に推移してき、時間Ｈから時間Ｊにおいては、電圧V2は論理閾値を超えており、論理的には“hi”と認識される。
【００２５】
時間Ｈにおいて電圧V2が“hi”になると、タイマー回路１０６は、電圧V3を“low”にして、半導体レーザー駆動回路１０２を速やかに消灯状態にする。
つまり、タイマー回路１０６は、電源電圧低下検出時である時間Ｈから時間Ｊにおいて、半導体レーザー駆動回路１０２、駆動値制御手段１０３、基準電圧発生手段１０４などの回路が電源電圧低下により電気的に不安定になる時間Ｉよりも早く半導体レーザー１０１への発光電流を停止するので、電源遮断時等においても確実に半導体レーザー１０１を異常発光電流から保護することができる。
【００２６】
また、本実施形態の半導体レーザー保護回路１は、図１に示すように、半導体レーザー１０１、半導体レーザー駆動回路１０２、駆動値制御手段１０３、基準電圧発生手段１０４、電源電圧監視回路１０５、タイマー回路１０６により構成されており、光量検出用ダイオードまたは光学ピックアップは含まれない。つまり、本実施形態の半導体レーザー保護回路１においては、特許文献１〜３の半導体レーザー駆動回路のように半導体レーザー１０１の発光量を監視することがないため、ダイオードの性能の個体差の問題等は生じえない。
【００２７】
（タイマー回路１０６の構成）
タイマー回路１０６の構成について、図４を用いて説明する。図４は、本実施形態の半導体レーザー保護回路１におけるタイマー回路１０６の構成例を示す図である。
タイマー回路１０６は、一例としてＤフリップフロップ（以下、「ＤＦ／Ｆ」と記す）によって構成され、図４に示すように、カウンター部４０１とホールド部４０２を備える。カウンター部４０１は、Ｎ個（Ｎは正の整数）のＤＦ／Ｆから成るリップルカウンターで構成され、外部よりクロック（ＣＬＫ）が供給される。ホールド部４０２は、ＤＦ／Ｆの入力Ｄ端子が電源電圧Vddに接続され、ＤＦ／ＦのクロックＣ端子がカウンター部４０１の出力（電圧V41）に接続されている。また、ホールド部４０２の出力電圧は、すなわちタイマー回路１０６の出力電圧V3である。また、タイマー回路１０６の入力電圧V 2は、カウンター部４０１のＮ個のＤＦ／Ｆと、ホールド部４０２のＤＦ／Ｆの夫々の非同期リセットであるＲ端子への入力電圧となるように構成されている。
なお、本例では、以下に説明するように、カウンター部４０１は、その初期値を０として、０からのアップカウンターとしているが、所望の値からのダウンカウンターでも良く、本発明の半導体レーザー保護回路はカウンター部４０１の方式に制限されるものではない。
【００２８】
（タイマー回路１０６の動作）
図５を用いて、図４のタイマー回路１０６の動作について説明する。図５は、図４のタイマー回路１０６の動作例を示すタイミングチャートである。なお、図５において、「Ｃｏｕｎｔ」は、カウンター部４０１がカウントする値を示すカウンターである。また、図３の説明と同様に、本発明の半導体レーザー保護回路は、電圧V2、カウンターＣＬＫ、電圧V41、電圧V3の論理極性に制限されるものではない。
図５において、時間Ａで電源が投入されて電圧V2が“hi”になると、カウンター部４０１とホールド部４０２を構成する夫々のＤＦ／Ｆは非同期にリセットされ、カウンターＣｏｕｎｔの値が“０”になる。これと同時に、電圧V41と出力電圧V3は“low”となり、半導体レーザー駆動回路１０２を消灯状態にする。
【００２９】
ここで、タイマー回路１０６は、電源電圧監視回路１０５からの消灯解除命令の出力、即ち電圧V2が“low”になった後の所定の時間Ｔ（＝（ｎ−１）×ｔ（ｎはカウンター部４０１のカウント値、ｔはクロック周期））後である時間Ｆに電圧V41は“hi”になる。また、これと同時に、出力電圧V3を“hi”にすることで、半導体レーザー駆動回路１０２を、半導体レーザー１０１が発光可能な状態（以下、適宜「発光可能状態」という）にする。
【００３０】
つまり、電源投入時間である時間Ａから、電源電圧Vddが安定する時間Ｄよりも長時間、つまり時間Ａから時間Ｆの区間において電圧V3を“low”に維持することで、半導体レーザー駆動回路１０２は消灯状態を継続する。これにより、電源投入時間Ａから時間Ｆまで、半導体レーザー１０１には電流が流れないので、半導体レーザー１０１を確実に異常発光電流から保護することができる。
【００３１】
一方、電源遮断時においては、時間Ｇから電源電圧Vddは低下し始める。そして、図３
で説明したように、電源電圧監視回路１０５から出力される消灯命令を示す電圧、すなわち電圧V2は、時間Ｈで“hi”になる。電圧V2が“hi”となった場合には、カウンター部４０１とホールド部４０２を構成する夫々のＤＦ／Ｆは非同期にリセットされるとともに、電圧V41と電圧V3は同時に“low”とされることで、半導体レーザー駆動回路１０２は速やかに消灯状態になる。
【００３２】
また、図６は、タイマー回路１０６の別の構成例を示す図である。図４のタイマー回路１０６では、カウンター部４０１をリップルカウンターとし、ホールド部４０２ではＤフリップフロップのＤ端子が電源電圧Vddに接続され、Ｃ端子がカウンター部４０１の出力に接続されるように構成されている。しかし、タイマー回路１０６は、図６に示すように、カウンター部６０１をバイナリカウンターとし、ホールド部６０２はＳＲラッチを備えるようになっていてもよい。また、この場合、ホールド部６０２ではＳＲラッチのＳ端子がカウンター部６０１の出力（電圧V61）に接続され、ＳＲラッチの出力が、すなわちタイマー回路１０６の出力（電圧V3）となり、入力電圧V2が、カウンター部６０１の夫々の非同期リセットであるＲ端子と、ホールド部６０２のＳＲラッチの入力Ｒ端子の入力電圧となるように構成されていてもよい。
【符号の説明】
【００３３】
１  半導体レーザー保護回路
１０１  半導体レーザー
１０２  半導体レーザー駆動回路
１０３  駆動値制御手段
１０４  基準電圧発生手段
１０５  電源電圧監視回路
１０６  タイマー回路
２０１  コンパレータ
２０２、２０３  抵抗
４０１  カウンター部
４０２  ホールド部
Vdd  電源電圧
Vcom  基準電圧
V1  基準電圧
I1  発光電流
６０１  カウンター部
６０２  ホールド部
７１  レーザーダイオード
７２  光量検出用ダイオード
７３  制御トランジスター
７４  駆動トランジスター
７５  レーザー出力制御回路
Vcc1、Vcc2  電源
８１  半導体レーザー
８２  ピンダイオード
９１０、９２０、９３０  電源
９１  半導体レーザー
９２  受光素子
【図１】
2011243697.tif 000003
【図２】
2011243697.tif 000004
【図３】
2011243697.tif 000005
【図４】
2011243697.tif 000006
【図５】
2011243697.tif 000007
【図６】
2011243697.tif 000008
【図７】
2011243697.tif 000009
【図８】
2011243697.tif 000010
【図９】
2011243697.tif 000011